(57)【要約】【課題】耐候性に優れ、画像の長期保存が可能で、安価なインクジェット記録用インク及びこれを用いるインクジェット記録ユニットを提供する。【解決手段】アゾ染料、アントラキノン染料、アントラピリドン染料及びフタロシアニン染料からなる群より選ばれる少なくとも１種の染料を含有するインクジェット記録用インクであって、前記染料は、フラボノイド又はその配糖類構造を有する基を有する。【選択図】なし【特許請求の範囲】
【請求項１】
アゾ染料、アントラキノン染料、アントラピリドン染料及びフタロシアニン染料からなる群より選ばれる少なくとも１種の染料を含有するインクジェット記録用インクであって、
前記染料は、フラボノイド又はその配糖類構造を有する基を有することを特徴とするインクジェット記録用インク。
【請求項２】
フラボノイド又はその配糖類構造を有する基が、水酸基を３個以上有することを特徴とする請求項１記載のインクジェット記録用インク。
【請求項３】
フラボノイドが、下記式（１）
【化１】
2008297526.tif 000045
で表されることを特徴とする請求項２記載のインクジェット記録用インク。
【請求項４】
フラボノイド又はその配糖類構造を有する染料が、下記式（２）
【化２】
2008297526.tif 000046
（式中、Ｒ1は水酸基を２個以上有するフラボノイド又はその配糖類構造を有する基を示し、Ｒ2からＲ5は、独立して、水素原子、スルホン基、カルボキシル基、アルデヒド基、アミノ基、又は水酸基を示す。）で表されるアゾ染料であることを特徴とする請求項１から３のいずれか記載のインクジェット記録用インク。
【請求項５】
フラボノイド又はその配糖類構造を有する染料が、下記式（３）
【化３】
2008297526.tif 000047
（式中、Ｒ6は水酸基を２個以上有するフラボノイド又はその配糖類構造を有する基を示し、Ｒ7は水素原子、スルホン基、カルボキシル基、アルデヒド基、アミノ基、水酸基、又は、水酸基を２個以上有するフラボノイド若しくはその配糖類構造を有する基を示し、Ｒ8からＲ18は、独立して、水素原子、スルホン基、カルボキシル基、アルデヒド基、アミノ基、又は水酸基を示す。）で表されるアゾ染料であることを特徴とする請求項１から３のいずれか記載のインクジェット記録用インク。
【請求項６】
フラボノイド又はその配糖類構造を有する染料が、下記式（４）
【化４】
2008297526.tif 000048
（式中、Ｒ18は水酸基を２個以上有するフラボノイド又はその配糖類構造を有する基を示し、Ｒ19は水素原子、スルホン基、カルボキシル基、アルデヒド基、アミノ基、水酸基、又は、水酸基を２個以上有するフラボノイド若しくはその配糖類構造を有する基を示し、Ｒ20からＲ24は、独立して、水素原子、スルホン基、カルボキシル基、アルデヒド基、アミノ基、又は水酸基を示す。）で表されるアゾ染料であることを特徴とする請求項１から３のいずれか記載のインクジェット記録用インク。
【請求項７】
フラボノイド又はその配糖類構造を有する染料が、下記式（５）
【化５】
2008297526.tif 000049
（式中、Ｒ1は水酸基を２個以上有するフラボノイド又はその配糖類構造を有する基を示し、Ｒ2、Ｒ3は、独立して、水素原子、スルホン基、カルボキシル基、アルデヒド基、アミノ基、水酸基、又はフェニル基を示す。）で表されるアントラキノン染料であることを特徴とする請求項１から３のいずれか記載のインクジェット記録用インク。
【請求項８】
フラボノイド又はその配糖類構造を有する染料が、下記式（６）
【化６】
2008297526.tif 000050
（式中、Ｒ4は水酸基を２個以上有するフラボノイド又はその配糖類構造を有する基を示し、Ｒ5からＲ7は、独立して、水素原子、スルホン基、カルボキシル基、アルデヒド基、アミノ基、水酸基、又はフェニル基を示す。）で表されるアントラキノン染料であることを特徴とする請求項１から３のいずれか記載のインクジェット記録用インク。
【請求項９】
フラボノイド又はその配糖類構造を有する染料が、下記式（７）
【化７】
2008297526.tif 000051
（式中、Ｒ8は水酸基を２個以上有するフラボノイド又はその配糖類構造を有する基を示し、Ｒ9からＲ11は、独立して、水素原子、スルホン基、カルボキシル基、アルデヒド基、アミノ基、水酸基、又はフェニル基を示す。）で表されるアントラキノン染料であることを特徴とする請求項１から３のいずれか記載のインクジェット記録用インク。
【請求項１０】
フラボノイド又はその配糖類構造を有する染料が、下記式（８）
【化８】
2008297526.tif 000052
（式中、Ｒ1は水酸基を２個以上有するフラボノイド又はその配糖類構造を有する基を示し、Ｒ2、Ｒ3は、独立して、水素原子、スルホン基、カルボキシル基、アルデヒド基、アミノ基、水酸基、又はフェニル基を示す。）で表されるアントラピリドン染料であることを特徴とする請求項１から３のいずれか記載のインクジェット記録用インク。
【請求項１１】
フラボノイド又はその配糖類構造を有する染料が、下記式（９）
【化９】
2008297526.tif 000053
（式中、Ｒ5は水酸基を２個以上有するフラボノイド又はその配糖類構造を有する基を示し、Ｒ6からＲ8は、独立して、水素原子、アルキル基、水酸基、スルホン基、アミノ基、カルボニル基、カルボキシル基、又はフェニル基を示す。）で表されるアントラピリドン染料であることを特徴とする請求項１から３のいずれか記載のインクジェット記録用インク。
【請求項１２】
フラボノイド又はその配糖類構造を有する染料が、下記式（１０）
【化１０】
2008297526.tif 000054
（式中、ＰｃはＣｕイオン又はＭｇイオンを有するフタロシアニン基を示し、Ｒ1は水酸基を２個以上有するフラボノイド又はその配糖類構造を有する基を示し、Ｒ2からＲ5は、独立して、水素原子、アルキル基、水酸基、スルホン基、アミノ基、カルボニル基、カルボキシル基、又はフェニル基を示し、ｎは１から３のいずれかの整数を示す。）で表されるフタロシアニン染料であることを特徴とする請求項１から３のいずれか記載のインクジェット記録用インク。
【請求項１３】
フラボノイド又はその配糖類構造を有する染料が、下記式（１１）
【化１１】
2008297526.tif 000055
（式中、ＰｃはＣｕイオン又はＭｇイオンを有するフタロシアニン基を示し、Ｒ6は水酸基を２個以上有するフラボノイド又はその配糖類構造を有する基を示し、Ｒ7からＲ11は、独立して、水素原子、アルキル基、水酸基、スルホン基、アミノ基、カルボニル基、又はカルボキシル基を示す。）で表されるフタロシアニン染料であることを特徴とする請求項１から３のいずれか記載のインクジェット記録用インク。
【請求項１４】
フラボノイド又はその配糖類構造を有する染料が、下記式（１２）
【化１２】
2008297526.tif 000056
（式中、ＰｃはＣｕイオン又はＭｇイオンを有するフタロシアニン基を示し、Ｒ12は水酸基を２個以上有するフラボノイド又はその配糖類構造を有する基を示し、Ｒ13からＲ16は、独立して、水素原子、アルキル基、水酸基、スルホン基、アミノ基、カルボニル基、カルボキシル基、又は、水酸基を２個以上有するフラボノイド若しくはその配糖類構造を有する基を示す。）で表されるフタロシアニン染料であることを特徴とする請求項１から３のいずれか記載のインクジェット記録用インク。
【請求項１５】
請求項１から１４のいずれか記載のインクジェット記録用インクを収容するインクタンク及びインクジェット記録ヘッドを具備することを特徴とするインクジェット記録ユニット。
【発明の詳細な説明】
【技術分野】
【０００１】
本発明は、記録媒体上にインクを吐出するインクジェット記録ヘッドを備え、印字データや画像データ（以下、記録データという。）に応じた記録を行うインクジェット記録装置に用いるインクや、これを用いたインクジェット記録ユニットに関する。より詳しくは、高速で安価な記録を可能とし、長期に亘って保存可能な記録を作成できるインクジェット記録用インク及びこれを用いたインクジェット記録ユニットに関する。
【背景技術】
【０００２】
インクジェット記録装置は、単色のインク又はカラー記録に対応した複数色のインクを紙、布、ＯＨＰ用紙、プリント回路基板等の記録媒体上に吐出することによって画像を形成する記録装置である。インクジェット記録装置は、一般的に、インクタンク及びインクジェット記録ヘッド（記録ヘッドという。）を備えたインクジェット記録ユニットを搭載するキャリッジと、キャリッジを往復移動させる手段と、記録媒体を搬送する搬送部と、これらを制御する制御部とを具備している。
【０００３】
このようなインクジェット記録装置においては、インクの吐出口を備える記録ヘッドから、これを記録媒体の搬送方向(副走査方向)と交差する方向、例えば実質的に直行する主走査方向に連続的にスキャンさせながら、インクを吐出する。更に、記録媒体を記録幅に等しい距離ずつ間欠搬送することによって、記録媒体上に記録データに応じた記録を行う。このようにインクジェット記録装置は、記録データに応じてインクを直接記録媒体上に吐出させて記録を行うので、簡易で安価な記録を行うことができるため、広く用いられている。
【０００４】
また、インクジェット記録装置は、複数色のインク用の記録ヘッドを具えることによってフルカラー化への対応も容易である。このようなフルカラーインクジェット記録装置には、通常、イエロー（Ｙ）、マゼンタ（Ｍ）及びシアン（Ｃ）の三原色にブラック（Ｂ）を含めた４色のインクに対応した記録ヘッドが搭載される。
【０００５】
イエローや黒のインクには合成が容易で、また色調が豊富なアゾ染料が使われることが多い。このアゾ染料は式(１３)に示すような母体構造を持っている。
【０００６】
【化１】
2008297526.tif 000002
【０００７】
マゼンタインクには合成が容易で、また色調が豊富なアントラキノン染料、アントラピリドン（別名アンモンケリドン、ピリダントロン）染料、フタロシアニン染料が使われることが多い。アントラキノン染料は式(１４)に示すような母体構造を持っている。
【０００８】
【化２】
2008297526.tif 000003
【０００９】
アントラピリドンは式(１５)に示すような母体構造を持っている。
【００１０】
【化３】
2008297526.tif 000004
【００１１】
フタロシアニンは式(１６)に示すような母体構造を持っている。
【００１２】
【化４】
2008297526.tif 000005
【００１３】
近年、鮮鋭で色彩に優れた画像形成が可能であり、且つ、簡便で安価なインクジェット記録装置の普及に伴い、インクジェット記録装置による画像に、銀塩写真に相当する記録特性及び長期保存性が要請され、更なる耐候性に優れたインクが求められている。従来のインクジェット記録用インクにおいては、太陽光や室内光により生じる活性酸素やオゾン等により染料分子が酸化され退色や変色することがあった。このような染料分子の劣化に対しては抗酸化剤を利用する技術がある。この技術には、記録媒体に抗酸化剤を含有させる方法（特許文献１から４等）と、インクに抗酸化剤を含有させる方法（特許文献５から７等）とがある。
【００１４】
しかし、記録媒体に抗酸化剤を含有させる方法では、抗酸化剤自体や抗酸化剤の酸化により生成する生成物の有色により、インクが定着されていない部分の記録媒体の白色度が低下するという問題点がある。また、インクに抗酸化剤を含有させる方法では、インクに含まれる色材と抗酸化剤が記録媒体上に別個に離れて定着し、また、これらの溶解度の相違から色材に対する抗酸化剤が不充分となり、記録媒体の性質によっては十分な耐候性能を発揮し得ない場合がある。
【特許文献１】特開平１−１１５６７７
【特許文献２】特開２００１−２７０２１９
【特許文献３】特開２００１−３０１３１５
【特許文献４】特開２００１−７１６２７
【特許文献５】特開昭６２−１９０６８
【特許文献６】特開平１０−３２４０７１
【特許文献７】特開２００１−８１３８９
【発明の開示】
【発明が解決しようとする課題】
【００１５】
本発明は上記問題点に鑑みてなされたものであって、本発明の課題は、耐候性に優れ、画像の長期保存が可能で、安価なインクジェット記録用インク及びこれを用いるインクジェット記録ユニットを提供することにある。
【課題を解決するための手段】
【００１６】
本発明者らは鋭意検討の結果、極めて酸化され易いフラボノイドやその配糖類を結合させた染料は、色調の変化を受けにくく、耐候性が飛躍的に向上する上、記録媒体上の画像以外の部分の白色度を低下させることがないことの知見を得た。
【００１７】
即ち、本発明は、アゾ染料、アントラキノン染料、アントラピリドン染料及びフタロシアニン染料からなる群より選ばれる少なくとも１種の染料を含有するインクジェット記録用インクであって、前記染料は、フラボノイド又はその配糖類構造を有する基を有することを特徴とするインクジェット記録用インクである。
【００１８】
また、本発明は、上記インクジェット記録用インクを収容するインクタンク及びインクジェット記録ヘッドを具備することを特徴とするインクジェット記録ユニットである。
【００１９】
本発明者らは、染料における耐候性を向上させるメカニズムを以下のように推測している。染料における発色部位は、空気中のオゾン分子や、太陽光に含まれる紫外線等により発生した酸化性ガスによる酸化を受けやすい。具体的には、アゾ染料ではアゾ基が、アントラキノン染料では式（１４）のアントラキノン部分が、アントラピリドン染料では式（１５）のアントラピリドン部分が、フタロシアニン染料では式（１６）のフタロシアニン部分が酸化されやすい。この発色部位の酸化により変色や退色が生じる。
【００２０】
一方、フラボノイドは極めて酸化され易い水酸基を含み、空気中のオゾン分子や光により発生した酸化性ガスにより容易に酸化され易い性質を有している。フラボノイドにおいては、これらの酸化反応が、上記染料の発色部位の酸化反応より、高速で進行することにより、上記染料に対し優れた抗酸化剤として機能することが考えられる。フラボノイドやその配糖類が染料に直接結合していることにより、記録媒体上において、これらの染料に対しフラボノイドの抗酸化作用が直接的に機能し、結果としてインクの耐候性が向上すると考えることができる。かかる知見に基づき、本発明を完成させるに至った。
【発明の効果】
【００２１】
本発明のインクジェット記録用インクは、耐候性に優れ、画像の長期保存が可能で、安価に得られる。
【発明を実施するための最良の形態】
【００２２】
本発明のインクジェット記録用インクに用いる染料としては、アゾ染料、アントラキノン染料、アントラピリドン染料及びフタロシアニン染料からなる群より選ばれる少なくとも１種の染料を含有する。そして、これらの染料は、フラボノイド又はその配糖類構造を有する基を置換基として有する。
【００２３】
上記フラボノイド又はその配糖類は、空気中のオゾンや、紫外線等により活性化された酸化性ガスにより容易に酸化されるものであり、染料に置換基として導入され、染料の発色部位に先立って酸化され、染料に抗酸化性を付与する。フラボノイドは、ベンゼン環２個を３個の炭素原子でつないだジフェニルプロパン構造、更には、下記式(１７)
【００２４】
【化５】
2008297526.tif 000006
【００２５】
に示すフラバン構造を持った化合物の総称である。フラボノイドとして、カルコン類、フラバノン類、フラボン類、フラボノール類、フラバノノール類、フラバノール（カテキン）類、イソフラボン類、アントシアジニン類を挙げることができる。これらは植物から抽出されるものを使用することができる。
【００２６】
また、フラボノイドの配糖類としては、フラボノイドの水酸基と糖の還元基が結合したものを挙げることができる。
【００２７】
具体的には、フラバノン類として、下記式(１８)
【００２８】
【化６】
2008297526.tif 000007
【００２９】
に示すナリンゲニンやその配糖体であるナリンゲン（サボンやブンタンの果皮に多く含まれる。）、ヘスペレチンやその配糖体であるヘスペリジン（レモンの果皮や果汁、みかんの果皮に多く含まれる。）を挙げることができる。
【００３０】
フラボノール類として、下記式（１９）
【００３１】
【化７】
2008297526.tif 000008
【００３２】
に示すケルセチンやその配糖体であるルチン（レタス、ブロッコリー、りんご果皮、イチゴ、タマネギ、茶、蕎麦に多く含まれる。）、ケンフェロール（ニラ、ブロッコリー、大根、タマネギ、グレープルーツに多く含まれる。）を挙げることができる。
【００３３】
フラバノール類として、式（１）で表されるカテキン（緑茶、果実類に多く含まれる。）を含んだ、下記式（２０）
【００３４】
【化８】
2008297526.tif 000009
【００３５】
に示すエピカテキン（カカオに多く含まれる。）、エピガロカテキン、エピカテキンガレート、エピガロカテキンガレート（これらは緑茶に多く含まれる。）を挙げることができる。
【００３６】
アントシアジニン類として、下記式（２１）
【００３７】
【化９】
2008297526.tif 000010
【００３８】
に示すシアニジンやその配糖体であるシアニン（イチゴ、ブドウ、ブルーベリーに多く含まれる。）、デルフィニジンやその配糖体であるデルフィニン（ナスの皮、ブドウ、ブルーベリーに多く含まれる。）、ペラルゴニジンやその配糖体であるペラルゴニン（テンジクアオイの花に多く含まれる。）を挙げることができる。
【００３９】
フラボン類として、下記式（２２）
【００４０】
【化１０】
2008297526.tif 000011
【００４１】
に示すアピゲニンを挙げることができる。
【００４２】
また、フラバノノール類として、ピノバンクシン、アロマデンドリン、フスチン等を挙げることができ、イソフラボン類として、ダイゼイン、ゲニスティン等を挙げることができる。
【００４３】
これらのうちでは水酸基を３個以上有するものが、染料に強い抗酸化性を付与することができるため、より好ましい。更に、式（１）で表されるカテキンをより好ましいものとして挙げることができる。
【００４４】
このようなフラボノイド又はその配糖体構造を有する基は、フラボノイド又はその配糖体のいずれの位置で染料に結合してもよいが、９位の炭素が染料との結合を容易に形成することができるので好ましい。
【００４５】
上記フラボノイド又はその配糖体構造を有する基を有する染料の好ましい例として、以下のものを挙げることができる。アゾ染料としては、下記式（２）
【００４６】
【化１１】
2008297526.tif 000012
【００４７】
で表されるアゾ化合物を挙げることができる。式中、Ｒ1は水酸基を２個以上有するフラボノイド又はその配糖類構造を有する基を示し、Ｒ2からＲ5は、独立して、水素原子、スルホン基、カルボキシル基、アルデヒド基、アミノ基、又は水酸基等の親水性の基を示す。
【００４８】
また、アゾ染料として、下記式（３）
【００４９】
【化１２】
2008297526.tif 000013
【００５０】
で表されるアゾ化合物を挙げることができる。式中、Ｒ6は水酸基を２個以上有するフラボノイド又はその配糖類構造を有する基を示す。Ｒ7は水素原子、スルホン基、カルボキシル基、アルデヒド基、アミノ基、水酸基等の親水性の基、又は、水酸基を２個以上有するフラボノイド若しくはその配糖類構造を有する基を示す。Ｒ8からＲ18は、独立して、水素原子、スルホン基、カルボキシル基、アルデヒド基、アミノ基、又は水酸基等の親水性の基を示す。
【００５１】
また、アゾ染料として、下記式（４）
【００５２】
【化１３】
2008297526.tif 000014
【００５３】
で表されるアゾ化合物を挙げることができる。式中、Ｒ18は水酸基を２個以上有するフラボノイド又はその配糖類構造を有する基を示す。Ｒ19は水素原子、スルホン基、カルボキシル基、アルデヒド基、アミノ基、若しくは水酸基等の親水性の基、又は、水酸基を２個以上有するフラボノイド若しくはその配糖類構造を有する基を示す。Ｒ20からＲ24は、独立して、水素原子、スルホン基、カルボキシル基、アルデヒド基、アミノ基、又は水酸基等の親水性の基を示す。
【００５４】
アントラキノン染料として、下記式（５）
【００５５】
【化１４】
2008297526.tif 000015
【００５６】
で表されるアントラキノン化合物を挙げることができる。式中、Ｒ1は水酸基を２個以上有するフラボノイド又はその配糖類構造を有する基を示し、Ｒ2、Ｒ3は、独立して、水素原子、スルホン基、カルボキシル基、アルデヒド基、アミノ基、若しくは水酸基等の親水性の基、又はフェニル基を示す。
【００５７】
また、アントラキノン染料として、下記式（６）
【００５８】
【化１５】
2008297526.tif 000016
【００５９】
で表されるアントラキノン化合物を挙げることができる。式中、Ｒ4は水酸基を２個以上有するフラボノイド又はその配糖類構造を有する基を示し、Ｒ5からＲ7は、独立して、水素原子、スルホン基、カルボキシル基、アルデヒド基、アミノ基、若しくは水酸基等の親水性の基、又はフェニル基を示す。
【００６０】
また、アントラキノン染料として、下記式（７）
【００６１】
【化１６】
2008297526.tif 000017
【００６２】
で表されるアントラキノン化合物を挙げることができる。式中、Ｒ8は水酸基を２個以上有するフラボノイド又はその配糖類構造を有する基を示し、Ｒ9からＲ11は、独立して、水素原子、スルホン基、カルボキシル基、アルデヒド基、アミノ基、若しくは水酸基等の親水性の基、又はフェニル基を示す。
【００６３】
アントラピリドン染料として、下記式（８）
【００６４】
【化１７】
2008297526.tif 000018
【００６５】
で表されるアントラピリドン化合物を挙げることができる。式中、Ｒ1は水酸基を２個以上有するフラボノイド又はその配糖類構造を有する基を示し、Ｒ2、Ｒ3は、独立して、水素原子、スルホン基、カルボキシル基、アルデヒド基、アミノ基、若しくは水酸基等の親水性の基、又はフェニル基を示す。
【００６６】
また、アントラピリドン染料として、下記式（９）
【００６７】
【化１８】
2008297526.tif 000019
【００６８】
で表されるアントラピリドン化合物を挙げることができる。式中、Ｒ5は水酸基を２個以上有するフラボノイド又はその配糖類構造を有する基を示し、Ｒ6からＲ8は、独立して、水素原子、アルキル基；水酸基、スルホン基、アミノ基、カルボニル基、若しくはカルボキシル基等の親水性の基、又はフェニル基を示す。
【００６９】
フタロシアニン染料として、下記式（１０）
【００７０】
【化１９】
2008297526.tif 000020
【００７１】
で表されるフタロシアニン化合物を挙げることができる。式中、ＰｃはＣｕイオン又はＭｇイオンを有するフタロシアニン基を示し、Ｒ1は水酸基を２個以上有するフラボノイド又はその配糖類構造を有する基を示す。Ｒ2からＲ5は、独立して、水素原子、アルキル基；水酸基、スルホン基、アミノ基、カルボニル基、若しくはカルボキシル基等の親水性の基、又はフェニル基を示し、ｎは１から３のいずれかの整数を示す。
【００７２】
また、フタロシアニン染料として、下記式（１１）
【００７３】
【化２０】
2008297526.tif 000021
【００７４】
で表されるフタロシアニン化合物を挙げることができる。式中、ＰｃはＣｕイオン又はＭｇイオンを有するフタロシアニン基を示す。Ｒ6は水酸基を２個以上有するフラボノイド又はその配糖類構造を有する基を示し、Ｒ7からＲ11は、独立して、水素原子、アルキル基；水酸基、スルホン基、アミノ基、カルボニル基、又はカルボキシル基等の親水性の基を示す。
【００７５】
また、フタロシアニン染料として、下記式（１２）
【００７６】
【化２１】
2008297526.tif 000022
【００７７】
で表されるフタロシアニン化合物を挙げることができる。式中、ＰｃはＣｕイオン又はＭｇイオンを有するフタロシアニン基を示し、Ｒ12は水酸基を２個以上有するフラボノイド又はその配糖類構造を有する基を示す。Ｒ13からＲ16は、独立して、水素原子、アルキル基；水酸基、スルホン基、アミノ基、カルボニル基、若しくはカルボキシル基等の親水性の基、又は、水酸基を２個以上有するフラボノイド若しくはその配糖類構造を有する基を示す。
【００７８】
上記染料は１種を用いても、２種以上を組み合わせて用いることができる。
【００７９】
上記フラボノイド又はその配糖体にかかる官能基を染料に導入する方法は、特開２００３−１３８２５８号公報に開示されている方法を使用することができる。
【００８０】
これらの染料のインク中の含有量は、インクの全質量に対して、１質量％以上３０質量％以下であることが好ましく、３質量％以上１０質量％以下であることがより好ましい。インクの含有量が１質量％以上であれば、鮮鋭な画像が得られ、３０質量％以下であれば、インクの粘度を適切にすることができ、インクジェット記録ヘッドにより良好な記録を行うことができる。
【００８１】
本発明のインクジェット記録用インクに用いる溶媒としては、水溶性有機溶媒を用いることが好ましい。具体的には、以下のものを挙げることができる。ジメチルホルムアミド、ジメチルアセトアミド等のアミド類。アセトン等のケトン類。テトラヒドロフラン、ジオキサン等のエ−テル類。ポリエチレングリコ−ル、ポリプロピレングリコ−ル等のポリアルキレングリコ−ル類。エチレングリコ−ル、プロピレングリコ−ル、ブチレングリコ−ル、トリエチレングリコ−ル、１，２，６−ヘキサントリオ−ル、チオジグリコ−ル、ヘキシレングリコ−ル、ジエチレングリコ−ル等のアルキレングリコ−ル類。エチレングリコ−ルメチルエ−テル、ジエチレングリコ−ルモノメチルエ−テル、トリエチレングリコ−ルモノメチルエ−テル等の多価アルコ−ルの低級アルキルエ−テル類。エタノ−ル、イソプロピルアルコ−ル、ｎ−ブチルアルコ−ル、イソブチルアルコ−ル等の１価アルコ−ル類。その他、グリセリン、Ｎ−メチル−２−ピロリドン、１，３−ジメチル−２―イミダゾリジノン、トリエタノ−ルアミン、スルホラン、ジメチルサルホキサイド等。これらの有機溶媒は１種又は２種以上を組み合わせて使用することができる。
【００８２】
上記溶媒の含有量は、インクの全質量に対して１質量％以上５０質量％以下であることが好ましく、更に２質量％以上３０質量％以下であることが好ましい。
【００８３】
また、上記水溶性有機溶媒は、水と質量比（水溶性有機溶媒：水）で１：２〜１：５０の範囲で混合して用いることが好ましい。
【００８４】
上記インクジェット記録用インク中には、上記染料の機能を阻害しない範囲において、必要に応じて、粘度調整剤、ｐＨ調整剤、防腐剤、界面活性剤、酸化防止剤、蒸発促進剤等の添加剤を配合することができる。界面活性剤は液体の浸透性を調整する上で特に重要である。界面活性剤は、用いる染料、溶媒の種類等により陽イオン性、陰イオン性、両性、非イオン性から選択して用いることができる。界面活性剤としては、例えば、サーフィノール４６５（Air  Product製）、アセチレノールＥＨ（川研ファインケミカル株式会社製）、ターギトール（ユニオンカーバイト社製）等を挙げることができる。界面活性剤の含有量は、インク全質量に対して０．０１質量％以上１０質量％以下であることが好ましい。
【００８５】
また、上記インクジェット記録用インクは２５℃付近で弱酸性、具体的にはｐＨが５〜７であることが好ましい。また、表面張力は１０〜６０ｄｙｎ／ｃｍであることが好ましく、粘度は１〜３０ｃｐｓであることが好ましい。
【００８６】
上記インクジェット記録用インクを調製するには、上記溶媒に上記染料を添加して溶解、分散する方法が挙げられる。必要に応じて、分散剤（界面活性剤）を用い、分散機により染料を微粒子化し、分散してもよい。分散機としては、例えば、ボールミル、サンドミル、アトライター、ロールミル、アジテーターミル、ヘンシェルミキサー、コロイドミル、超音波ホモジナイザー、パールミル、ジェットミル、オングミル等を挙げることができる。
【００８７】
本発明のインクジェット記録用インクの定着を行う記録媒体としては、紙、布、ＯＨＰ用紙、プリント回路基板等いずれのものも適用することができるが、インクの吸収層を有するものが好ましい。具体的には、図４に示すように、原紙３１上に多孔質のインク吸収層３２を有するものを挙げることができる。原紙は、例えば、パルプに、適宜紙力強化剤を加え、抄造したものを用いることができる。多孔質のインク吸収層は、カチオン化デンプン等を用いて、原紙に塗布して形成することができる。
【００８８】
本発明のインクジェット記録用インクにおいては、フラボノイド又は配糖類構造を有する基を有する染料を用いることにより、耐候性が著しく向上される。このインクを用いて形成した画像は、長期保存後においても変色、退色が抑制され、良好な保存状態を維持することができる。
【００８９】
本発明のインクジェット記録ユニットは、上記インクジェット記録用インクを収容するインクタンク及びインクジェット記録ヘッドを具備することを特徴とする。上記インクジェット記録ユニットの一例として、図１の斜視図に示すものを挙げることができる。図１に示す記録ユニットＨには、上記インクジェット記録用インクを収容するインクタンク２１及びインクの吐出部を有するインクジェット記録ヘッド（図示せず）が備えられている。インクの吐出部は、それぞれ、例えば、イエロー、マゼンダ、シアン、ブラックの各色インク毎に備えられる。インクの吐出部には、インクを吐出する複数の吐出口が備えられ、吐出口の開口を記録媒体に対向して配置し、記録データに基づきインクを吐出して、画像の形成を行うようになっている。
【００９０】
インクの吐出方式としては、熱エネルギーや機械的エネルギー等を利用したいずれの吐出方式でもよい。
【００９１】
このような記録ユニットを具備し、画像の形成を行うインクジェット記録装置を、図２の概略外観図、図３の概略内部構成図を参照して、以下に説明する。このインクジェット記録装置には、記録媒体１２を挟持して搬送する搬送ローラー１７、１８が設けられ、給紙トレイ１から取り出された記録媒体１２は、搬送ローラー１７から搬送ローラー１８方向へ移動して排紙トレイ２へと搬送される。記録媒体１２の搬送経路の上方には、記録媒体の搬送方向に直行するように配置される駆動レール１５が設けられ、この駆動レール上に、上記記録ユニットＨを、その吐出口の開口を記録媒体に対向するように搭載したキャリッジ１１が支持される。キャリッジ１１には、駆動モーター１３の回転軸に接続されたプーリーに懸架された駆動ベルト１４が接続され、駆動モーター１３の回転に伴い駆動ベルト１４が移動して、キャリッジを駆動レール上に往復移動させるようになっている。駆動モーター１３と搬送ローラーを駆動する通紙モーター（図示せず）とは、制御回路（図示せず）によってその動作が制御される。
【００９２】
更に、キャリッジ１１の移動経路の端部の下方の位置には、吐出回復ポンプを備えた吐出回復部１６が設けられ、吐出回復部上に記録ヘッドの吐出口の開口を当接させ、吐出回復ポンプを駆動させて吐出口内のインクの吸引が可能となっている。インクの溶媒が蒸発して、吐出口内のインクが増粘した場合、吐出回復部により増粘したインクを吸引し、記録ヘッドの吐出性能を回復させることができる。
【００９３】
このインクジェット記録装置による記録方法としては、駆動モーターにより駆動ベルトを所定の速度で移動させ、これによりキャリッジを駆動レールに沿って移動させる。この間に、記録データに応じて記録ヘッドの複数の吐出口から選択的に所定のタイミングでインクを吐出させて所定幅の画像を形成する。キャリッジが駆動レールの端部まで移動し、所定幅の画像を形成した後、搬送ローラー１７、１８を所定幅に相当するように回転させ、記録媒体を所定幅と等距離を搬送する。その後、キャリッジを駆動レール上を逆方向に移動させつつ、インクを吐出させ画像を形成する。これを反復して画像の形成を行う。
【実施例】
【００９４】
本発明のインクジェット記録用インクを、より具体的に詳細に説明するが、本発明の技術的範囲はこれらに限定されるものではない。以下の「％」は「質量％」を示す。
［実施例１］
以下の方法によりフラボノイド構造を有する基を有する水溶性アゾ染料を合成した。
【００９５】
式（２３）に示すように、市販染料C.I. Direct Yellow 86を常法により酸化し、アルデヒド基にした後、これに緑茶などから抽出したカテキンを酸触媒下で縮合させ、カテキン構造を有する基を有するアゾ染料を合成した。
【００９６】
【化２２】
2008297526.tif 000023
【００９７】
得られた抗酸化性アゾ染料を用い、以下の成分を混合し、ポアサイズが０．２２μｍのメンブレンフィルタにて加圧濾過して、イエローインク及びブラックインクを調製した。
【００９８】
抗酸化性アゾ染料                                            ２％
チオジグリコール                                          １０％
アセチレノールＥＨ （川研ファインケミカル株式会社製）     ０．０５％
水                                                        残部
得られたインクをインクジェット記録ヘッドのインクタンクに収納し、シリアル形式のインクジェット記録装置（ＰＩＸＵＳ−８５０ｉ  キヤノン社製）を用いて、記録媒体上に画像を形成した。画像形成は、ＯＤ（Ｏｐｔｉｃａｌ  Ｄｅｎｓｉｔｙ：光学濃度）が、０．９〜１．１の範囲に入るように記録条件を調整し、単色パッチ（１．５ｃｍ角の正方形）を形成し、これをサンプルとした。記録媒体は以下のように調製した図４に示す紙を用いた。
【００９９】
［記録媒体］
原料パルプとしてＬＢＫＰ９０部とＮＢＫＰ１０部を混合し叩解した後、炭酸カルシウム２０部、アルケニル無水コハク酸０．２部、カチオン化デンプン０．５部を配合して、常法で、坪量６４ｇ／ｍ2、厚さ９０μｍ、ステキヒトサイズ度１５秒の原紙を抄造した。この原紙の比容積は１．４ｃｍ3／ｇであった。得られた原紙に、カチオン化デンプン（CATO304：NATIONAL STARCH & CHEMICAL製）を水と混合した６％水溶液を塗布液とし、バーコーターで１．５ｇ／ｍ2に塗布し、１００℃のオーブンで３分間乾燥し、記録媒体を得た。
【０１００】
［耐候性評価］
［耐オゾン性］
オゾンウエザーメーター（ＯＭＳ−Ｈ型：（株）スガ試験機製）を用い、２４℃、湿度６０％、オゾン濃度２ｐｐｍの条件下、サンプルのオゾン暴露を所定時間（６時間、１２時間）行った。サンプルの変色の有無を観察し、以下の基準により感応評価した。結果を表１に示す。
【０１０１】
評価Ａ：被験者１０人中９人以上が画濃度変化なしと判定
評価Ｂ：被験者１０人中７人以上が画濃度変化なしと判定
評価Ｃ：被験者１０人中５人以上が画濃度変化なしと判定
評価Ｄ：被験者１０人中９人以上が画濃度変化ありと判定。
【０１０２】
［耐光性］
サンプルの表面を無色のガラスプレートで覆った後、キセノンウエザーメーター（ＸＬ−７５Ｓ：（株）スガ試験機製）を用い、２４℃、湿度６０％条件下、サンプルの露光を所定時間（６時間、１２時間）行った。照射条件は、ＢＰＴ（ブラックパネル温度）４０℃；３００〜４００ｎｍ間出の照度３４Ｗ／ｍ2とした。サンプルの変色の有無を観察し、上記耐オゾン性評価と同様の基準により感応評価を行った。結果を表１に示す。
【０１０３】
［実施例２］
式（２４）に示すように市販染料C.I. Direct Black 32を用いた他は、実施例１と同様にして、カテキン構造を有する基を有する抗酸化性アゾ染料を合成し、インクを調製した。これを用いて実施例１と同様にして記録媒体に画像を形成し、耐候性の評価を行った。結果を表１に示す。
【０１０４】
【化２３】
2008297526.tif 000024
【０１０５】
［実施例３］
特開平１１−１５８３９６号公報に記載された、式（２５）に示すアゾ染料を用いた他は、実施例１と同様にして、カテキン構造を有する基を有する抗酸化性アゾ染料を合成し、インクを調製した。これを用いて実施例１と同様にして記録媒体に画像を形成し、耐候性の評価を行った。結果を表１に示す。
【０１０６】
【化２４】
2008297526.tif 000025
【０１０７】
［比較例１］
アゾ染料として実施例１の出発原料として用いたアゾ染料１．６％を用い、抗酸化剤としてカテキン０．４％を染料とは別体として用いた他は実施例１と同様にしてインクを調製し、これを用いて記録媒体に画像を形成し、耐候性の評価を行った。結果を表２に示す。
【０１０８】
［比較例２］
アゾ染料として実施例２の出発原料として用いたアゾ染料１．４％を用い、抗酸化剤としてカテキン０．６％を染料とは別体として用いた他は実施例１と同様にしてインクを調製し、これを用いて記録媒体に画像を形成し、耐候性の評価を行った。結果を表２に示す。
【０１０９】
［比較例３］
アゾ染料として実施例３の出発原料として用いたアゾ染料１．１％を用い、抗酸化剤としてカテキン０．９％を染料とは別体として用いた他は実施例１と同様にしてインクを調製し、これを用いて記録媒体に画像を形成し、耐候性の評価を行った。結果を表２に示す。
【０１１０】
［比較例４］
アゾ染料として実施例１の出発原料として用いたアゾ染料１．６％を用いた他は実施例１と同様にしてインクを調製し、これを用いて記録媒体に画像を形成し、耐候性の評価を行った。結果を表２に示す。
【０１１１】
［比較例５］
アゾ染料として実施例２の出発原料として用いたアゾ染料１．４％を用いた他は実施例１と同様にしてインクを調製し、これを用いて記録媒体に画像を形成し、耐候性の評価を行った。結果を表２に示す。
【０１１２】
［比較例６］
アゾ染料として実施例３の出発原料として用いたアゾ染料１．１％を用いた他は実施例１と同様にしてインクを調製し、これを用いて記録媒体に画像を形成し、耐候性の評価を行った。結果を表２に示す。
【０１１３】
【表１】
2008297526.tif 000026
【０１１４】
【表２】
2008297526.tif 000027
【０１１５】
［実施例４］
以下の方法によりフラボノイド構造を有する基を有する水溶性アントラキノン染料を合成した。
【０１１６】
式（２６）に示すように１−ハイドロオキシ−アントラキノン−２−カルボキシアルデヒドを用いた他は、実施例１と同様にして、抗酸化性アントラキノン染料を合成し、これを用いてマゼンダインクを調製した。得られたインクを用いて実施例１と同様にして記録媒体に画像を形成し、耐候性の評価を行った。結果を表３に示す。
【０１１７】
【化２５】
2008297526.tif 000028
【０１１８】
［実施例５］
式（２７）に示すように、市販のカルボキシル基を持つアントラキノン染料をＬｉＡｌＨ4と共に常法（特公平７−３７５８５号公報に記載）により還元し、アルデヒド基にした。これに緑茶などから抽出したカテキンを酸触媒下で縮合させ、カテキン構造を有する基を有する抗酸化性アントラキノン染料を合成した。これを用いて実施例１と同様にしてインクを調製し、記録媒体に画像を形成し、耐候性の評価を行った。結果を表３に示す。
【０１１９】
【化２６】
2008297526.tif 000029
【０１２０】
［実施例６］
式（２８）に示すように、市販のカルボキシル基を持つアントラキノン染料をＬｉＡｌＨ4と共に常法（特公平６−０１１８６９号公報に記載）により還元し、アルデヒド基にした。これに緑茶などから抽出したカテキンを酸触媒下で縮合させ、カテキン構造を有する基を有する抗酸化性アントラキノン染料を合成した。これを用いて実施例１と同様にしてインクを調製し、記録媒体に画像を形成し、耐候性の評価を行った。結果を表３に示す。
【０１２１】
【化２７】
2008297526.tif 000030
【０１２２】
［比較例７］
アントラキノン染料として実施例４の出発原料として用いた１−ハイドロオキシ−アントラキノン−２−カルボキシアルデヒド０．９％を用い、抗酸化剤としてカテキン１．１％を染料とは別体として用いた。その他は実施例１と同様にしてインクを調製し、これを用いて記録媒体に画像を形成し、耐候性の評価を行った。結果を表４に示す。
【０１２３】
［比較例８］
アントラキノン染料として実施例５の出発原料として用いたアントラキノン染料１．２％を用い、抗酸化剤としてカテキン０．８％を染料とは別体として用いた。その他は実施例１と同様にしてインクを調製し、これを用いて記録媒体に画像を形成し、耐候性の評価を行った。結果を表４に示す。
【０１２４】
［比較例９］
アントラキノン染料として実施例６の出発原料として用いたアントラキノン染料１．２％を用いた。抗酸化剤としてカテキン０．８％を染料とは別体として用いた。その他は実施例１と同様にしてインクを調製し、これを用いて記録媒体に画像を形成し、耐候性の評価を行った。結果を表４に示す。
【０１２５】
［比較例１０］
アントラキノン染料として実施例４の出発原料として用いたアントラキノン染料０．９％を用いた。その他は実施例１と同様にしてインクを調製し、これを用いて記録媒体に画像を形成し、耐候性の評価を行った。結果を表４に示す。
【０１２６】
［比較例１１］
アントラキノン染料として実施例５の出発原料として用いたアントラキノン染料１．２％を用いた。その他は実施例１と同様にしてインクを調製し、これを用いて記録媒体に画像を形成し、耐候性の評価を行った。結果を表４に示す。
【０１２７】
［比較例１２］
アントラキノン染料として実施例６の出発原料として用いたアントラキノン染料１．２％を用いた。その他は実施例１と同様にしてインクを調製し、これを用いて記録媒体に画像を形成し、耐候性の評価を行った。結果を表４に示す。
【０１２８】
【表３】
2008297526.tif 000031
【０１２９】
【表４】
2008297526.tif 000032
【０１３０】
［実施例７］
以下の方法によりフラボノイド構造を有する基を有する水溶性アントラピリドン染料を合成した。
【０１３１】
まず、式（２９）に示すように３−アミノベンジルアルコールの水酸基をＴＢＳＣｌ（ｔ−ブチルジメチルシリルクロライド）により保護した。
【０１３２】
【化２８】
2008297526.tif 000033
【０１３３】
次に、式（３０）に示すようにキシレン等の極性溶媒中でアントラピリドン化合物にベンゾイル酢酸エチルエステルを反応させた。
【０１３４】
【化２９】
2008297526.tif 000034
【０１３５】
そして、式（３１）に示すように、これに水酸基を保護した３−アミノベンジルアルコールを反応させた後、酸を用い水酸基の脱保護を行い、アントラピリドン化合物を得た。
【０１３６】
【化３０】
2008297526.tif 000035
【０１３７】
更に、式（３２）に示すように、このアントラピリドン化合物を常法により酸化して、水酸基をアルデヒド基とした。これに緑茶などから抽出したカテキンを酸触媒下で縮合させ、カテキン構造を有する基を有する抗酸化性アントラピリドン染料を合成した。
【０１３８】
【化３１】
2008297526.tif 000036
【０１３９】
得られたカテキン構造を有する基を有する抗酸化性アントラピリドン染料を用いた他は、実施例１と同様にして、マゼンダインクを調製した。これを用いて実施例１と同様にして記録媒体に画像を形成し、耐候性の評価を行った。結果を表５に示す。
【０１４０】
［実施例８］
式（３３）に示すように、市販のカルボキシル基を持つアントラピリドン染料をＬｉＡｌＨ4と共に常法（特開２０００−１０９４６４号公報に記載）により還元し、アルデヒド基にした。これに緑茶などから抽出したカテキンを酸触媒下で縮合させ、カテキン構造を有する基を有する抗酸化性アントラピリドン染料を合成した。これを用いて実施例１と同様にしてインクを調製し、記録媒体に画像を形成し、耐候性の評価を行った。結果を表５に示す。
【０１４１】
【化３２】
2008297526.tif 000037
【０１４２】
［比較例１３］
アントラピリドン染料として実施例７で調製したアントラピリドン化合物１．３％を用い、抗酸化剤としてカテキン０．７％を染料とは別体として用いた他は実施例１と同様にしてインクを調製し、これを用いて記録媒体に画像を形成し、耐候性の評価を行った。結果を表６に示す。
【０１４３】
［比較例１４］
アントラピリドン染料として実施例８の出発原料として用いたアントラピリドン化合物１．４％を用い、抗酸化剤としてカテキン０．６％を染料とは別体として用いた。その他は実施例１と同様にしてインクを調製し、これを用いて記録媒体に画像を形成し、耐候性の評価を行った。結果を表６に示す。
【０１４４】
［比較例１５］
アントラピリドン染料として比較例１３の出発原料として用いた式（３５）のアントラピリドン化合物１．３％を用いた。その他は実施例１と同様にしてインクを調製し、これを用いて記録媒体に画像を形成し、耐候性の評価を行った。結果を表６に示す。
【０１４５】
［比較例１６］
アントラピリドン染料として実施例８の出発原料として用いたアントラピリドン化合物１．４％を用いた。その他は実施例１と同様にしてインクを調製し、これを用いて記録媒体に画像を形成し、耐候性の評価を行った。結果を表６に示す。
【０１４６】
【表５】
2008297526.tif 000038
【０１４７】
【表６】
2008297526.tif 000039
【０１４８】
［実施例９］
以下の方法によりフラボノイド構造を有する基を有する水溶性フタロシアニン染料を合成した。
【０１４９】
まず、式（３４）に示すように、銅フタロシアニンと塩化オキサリル触媒とＡｌＣｌ3触媒を使ってカルボキシル基をベンゼン環に導入し、フタロシアニン化合物を得た。
【０１５０】
次に、カルボキシル基の一部を常法に従い還元しアルデヒド基とした。これにＢＨＴを酸触媒下で縮合させ、ＢＨＴにかかる官能基を有する抗酸化性フタロシアニン染料を得た。これを用いた他は、実施例１と同様にして、シアンインクを調製した。これを用いて実施例１と同様にして記録媒体に画像を形成し、耐候性の評価を行った。結果を表７に示す。
【０１５１】
【化３３】
2008297526.tif 000040
【０１５２】
［実施例１０］
式（３５）に示すように、市販のカルボキシル基を持つフタロシアニン染料をＬｉＡｌＨ4を用いて常法（特公平４−１０５０９号公報に記載）により還元し、カルボキシル基をアルデヒド基にした。これに緑茶などから抽出したカテキンを酸触媒下で縮合させ、カテキン構造を有する基を有する抗酸化性フタロシアニン染料を合成した。これを用いて実施例１と同様にしてインクを調製し、記録媒体に画像を形成し、耐候性の評価を行った。結果を表７に示す。
【０１５３】
【化３４】
2008297526.tif 000041
【０１５４】
［実施例１１］
式（３６）に示すように、市販のカルボキシル基を持つフタロシアニン染料をLiAlH4を用いて常法（特開平５−２３９３６８号公報に記載）により還元し、カルボキシル基をアルデヒド基にした。これに緑茶などから抽出したカテキンを酸触媒下で縮合させ、カテキン構造を有する基を有する抗酸化性フタロシアニン染料を合成した。これを用いて実施例１と同様にしてインクを調製し、記録媒体に画像を形成し、耐候性の評価を行った。結果を表７に示す。
【０１５５】
【化３５】
2008297526.tif 000042
【０１５６】
［比較例１７］
フタロシアニン染料として実施例９で調製した３つのカルボキシル基を有する銅フタロシアニン化合物１．４％を用い、抗酸化剤としてカテキン０．６％を染料とは別体として用いた。その他は実施例１と同様にしてインクを調製し、これを用いて記録媒体に画像を形成し、耐候性の評価を行った。結果を表８に示す。
【０１５７】
［比較例１８］
フタロシアニン染料として実施例１０の出発原料として用いたフタロシアニン化合物１．７％を用い、抗酸化剤としてカテキン０．３％を染料とは別体として用いた。その他は実施例１と同様にしてインクを調製し、これを用いて記録媒体に画像を形成し、耐候性の評価を行った。結果を表８に示す。
【０１５８】
［比較例１９］
フタロシアニン染料として実施例１１の出発原料として用いたフタロシアニン化合物１．３％を用い、抗酸化剤としてカテキン０．７％を染料とは別体として用いた。その他は実施例１と同様にしてインクを調製し、これを用いて記録媒体に画像を形成し、耐候性の評価を行った。結果を表８に示す。
【０１５９】
［比較例２０］
フタロシアニン染料として実施例９で調製した３つのカルボキシル基を有する銅フタロシアニン化合物１．４％を用いた。その他は実施例１と同様にしてインクを調製し、これを用いて記録媒体に画像を形成し、耐候性の評価を行った。結果を表８に示す。
【０１６０】
［比較例２１］
フタロシアニン染料として実施例１０の出発原料として用いたフタロシアニン化合物１．７％を用いた。その他は実施例１と同様にしてインクを調製し、これを用いて記録媒体に画像を形成し、耐候性の評価を行った。結果を表８に示す。
【０１６１】
［比較例２２］
フタロシアニン染料として実施例１１の出発原料として用いたフタロシアニン化合物１．３％を用いた。その他は実施例１と同様にしてインクを調製し、これを用いて記録媒体に画像を形成し、耐候性の評価を行った。結果を表８に示す。
【０１６２】
【表７】
2008297526.tif 000043
【０１６３】
【表８】
2008297526.tif 000044
【０１６４】
結果から、本発明のインクジェット記録用インクを用いて記録を行った結果、耐オゾン性、耐光性等の耐候性に優れる画像が得られた。
【図面の簡単な説明】
【０１６５】
【図１】本発明のインクジェット記録ユニットの一例を示す概略斜視図である。
【図２】本発明のインクジェット記録装置の一例を示す概略斜視図である。
【図３】本発明のインクジェット記録装置の一例を示す概略構成図である。
【図４】本発明のインクジェット記録用インクを用いて画像形成を行う記録媒体の一例を示す概略断面図である。
【符号の説明】
【０１６６】
２１  インクタンク
Ｈ  インクジェット記録ユニット
【図１】
2008297526.tif 000057
【図２】
2008297526.tif 000058
【図３】
2008297526.tif 000059
【図４】
2008297526.tif 000060